(57)【要約】  ユーザに対してマスマーケットのコンテンツ情報をレンダリングすることを可能にする方法が提案される。その方法は、コンテンツの再生中にレンダリングをパーソナル化する目的で電子コンテンツの処理の制御を行うために、ユーザのプロフィールを使用することを可能にすることを有する。
2007504697.tif 000002
【特許請求の範囲】
【請求項１】
ユーザに対してマスマーケットのコンテンツ情報をレンダリングすることを可能にする方法であって、
前記コンテンツ情報の再生中に前記レンダリングをパーソナル化する目的で前記コンテンツ情報を処理する制御を行うために、前記ユーザのプロフィールを使用可能にすることを有する方法。
【請求項２】
請求項１に記載の方法であって、
前記プロフィールは、前記ユーザについての生物測定情報を備えた動的部分を有する方法。
【請求項３】
請求項２に記載の方法であって、
前記ユーザに結合されたセンサを介して前記生物測定情報を取得することを有する方法。
【請求項４】
請求項１に記載の方法であって、
前記プロフィールは、前記ユーザの現在のアクティビティについての情報を有する方法。
【請求項５】
請求項１に記載の方法であって、
前記プロフィールは、ユーザの履歴、申告された関心、申告された嗜好のうち少なくとも１つに基づく静的部分を有する方法。
【請求項６】
請求項１に記載の方法であって、
前記コンテンツのムードに作用する側面を示すメタデータを提供し、
前記処理の制御について、前記プロフィールに対して前記メタデータを合致することを可能にすることを有する方法。
【請求項７】
請求項１に記載の方法であって、
前記処理は、後にパーソナル化されたレンダリングを行うために前記コンテンツを格納することを有する方法。
【請求項８】
ユーザに対してマスマーケットのコンテンツ情報をレンダリングする家庭用電化システムであって、
ユーザプロフィールを格納するメモリと、
前記メモリに結合され、前記プロフィールの制御で前記コンテンツの再生中に前記レンダリングをパーソナル化する目的で前記コンテンツの処理を制御するコントローラと、
を有する家庭用電化システム。
【請求項９】
請求項８に記載のシステムであって、
ユーザの現在の生物測定特性を検知するセンサと、
前記センサ及び前記メモリに結合され、前記プロフィールのコンテキスト内で前記センサからの出力信号を解釈するインタープリタと
を有するシステム。
【請求項１０】
請求項８に記載のシステムであって、
前記コンテンツの意味的側面又はムードに作用する側面を示すメタデータを受信するように構成され、
前記コントローラは、前記処理の制御を行うために、前記プロフィールに対して前記メタデータを合致するように動作可能であるシステム。
【請求項１１】
ユーザに対してマスマーケットのコンテンツ情報をレンダリングする家庭用電化装置の制御を行うために使用される制御ソフトウェアであって、
前記コンテンツの再生中に前記レンダリングをパーソナル化する目的で前記コンテンツ情報の処理の制御を行うために、前記ユーザのプロフィールを使用するように構成される制御ソフトウェア。
【請求項１２】
コンテンツ情報のムードに作用する特性を示すメタデータを伴うマスマーケットのコンテンツ情報であって、
ユーザのプロフィールの制御で、前記コンテンツ情報の再生中にレンダリングをパーソナル化することを可能にするマスマーケットのコンテンツ情報。
【発明の詳細な説明】
【技術分野】
【０００１】
本発明は、コンテンツ情報をレンダリング可能にする方法、コンテンツをレンダリング可能にするシステム及びその構成要素、コンテンツ情報、並びに制御ソフトウェアに関する。
【背景技術】
【０００２】
先端通信技術は、全世界からのメンバと共に、更なる数のサブカルチャー、物理及び仮想を生じさせる社会で現在の動向を推進している。人は同時に複数のグループに所属することができ、例えば、音楽ファン、趣味に熱中する人、スポーツマン又はスポーツウーマン、ビジネスマン、クラスメート、特定のブランドの製品のユーザ等になることができる。その時点での人の優勢なアイデンティティに応じて人が特定のグループに入ったり出たりするため、この種類のグループ化はかなり一時的な特性を有する。
【０００３】
従って、人は複数の社会的又は活動基準的アイデンティティを仮定することがあり、それはアイデンティティ（又は関心）が優勢である状況（コンテキスト）に依存する。例えば、人はスポーツ中に栄養補助食品についての情報を受け入れることがあるが、刺激的な推理小説が中断している間にはこの情報を無視する。
【発明の開示】
【発明が解決しようとする課題】
【０００４】
その結果、メディア業界は、TV番組及び広告で十分に多数の視聴者に到達するという課題に直面する。表現上はある種の矛盾のように思われるが、TV放送のマスカスタマイゼーションは、この課題に対応するときに、放送局をサポートし得る。本発明者は、デジタルTV（デジタルビデオ放送又はDVB）及びデジタルラジオ（デジタルオーディオ放送又はDAB）の時代には、メディア・マスカスタマイゼーションが実現可能になると予想する。これは、現在行われていない方法でDVB及びDABを使用可能にすることを求める。
【０００５】
本発明者は、例えばTV放送又はラジオ放送からユーザにメディア・プレゼンテーションを提供し、個々のユーザ毎に特有の方法でそのプレゼンテーションをレンダリングさせることを提案する。個々のユーザ及び状況（コンテキスト）についての現在情報を提供するために、１つ以上のコンテキストセンサが使用される。例えば、ユーザの衣類のRFID（radio-frequency  identifier）タグにより、身体の動き、基準点に対するユーザの位置又は特定の位置での存在を検出することが可能になる。嗅覚若しくは視覚の合図又は他の生物測定情報を検出するために、感情認識の用途の場合のように、生物測定センサが使用される。これらのコンテキストセンサからの出力は、現在の社会的若しくは活動基準的アイデンティティを表すデータ、又は個々のユーザのムード若しくは生理的状態に、センサ出力又はコンテキスト合図をマッピングするユーザプロフィールを用いて解釈されることが好ましい。ユーザプロフィールのこの部分は、小さい時間スケールで変化する傾向にあるため、動的部分と呼ばれる。コンテキスト合図の解釈が決定されると、この解釈は、コンテンツ情報の処理を制御するために使用される。例えば、ユーザの注目が増加しているとしてセンサ信号が解釈された場合に、緊張が増加している期間のように、特定のイベントのタイミングを調整するように番組の長さを変更することにより、システムが応答する。これは非線形メディア・プレゼンテーションと呼ばれる。他の例として、システムは、異なる（部分の）電子コンテンツ（TV番組等）、例えば、このユーザの現在の社会的又は活動基準的アイデンティティに応じて、異なるプレゼンター又は対象のコマーシャルを提供する。個々のエンドユーザ毎に利用可能な個々の放送チャンネルが存在しないため、限られた集合からコンテンツを選択するスマートな方法が必要になる。更に他の例として、レンダリングされたコンテンツは、ユーザプロフィールの静的部分に合致するように調整される。静的ユーザプロフィールは、ユーザの過去又は通時の傾向及び特性（例えば推測又は申告された関心及び嗜好）に関係する。例えば、ユーザが敏感な人である場合、例えば、音量を一時的に下げることにより、表示モニタに表示される画像のサイズ又は解像度若しくは色の深みを減少することにより、又は部分的若しくは完全に何らかの要素を視野から分かりにくくすることにより、推理小説映画の何らかの場面はショック又は影響を減少するようにレンダリングされる。処理システムがホームネットワークの一部である場合、ユーザが視聴している部屋の照明の明るさは少し強くされる。これは、特に小さい子供に関連することがある。他方、ユーザがスリルを求める人である場合、又は少なくともそのように信じている場合、音量を上げること、映画の壮観な場面で拡大表示すること等を用いて、影響を強めるために映画トリックが反対の効果を用いて使用される。
【０００６】
急激な大音量及び素早いアクションを伴う映画の場面は、静かな場面に比べてユーザに強い瞬間的な影響を与える可能性がある。これらの聴覚及び視覚特性又はその不足は、例えば処理システムのキャッシュで事前に検出可能であり、それにより、再生される時間までに、ユーザプロフィールによって必要なように適切な映画トリックが呼び出され、アクションの前の場面がサスペンスを作るように又は影響を和らげるように適合され得る。この手法は、ダウンロードされたコンテンツ、ローカルに予め記録されたコンテンツ又は光ディスクのような情報担体で供給されたコンテンツに関して使用可能である。代替として、コンテンツプロバイダ又は第三者サービスにより決定される個々の場面の特性又は予期される影響を表すメタデータが提供されてもよい。このメタデータは、動的であれ、静的であれ、その双方であれ、ユーザプロフィールに従って処理を制御するために、制御データとして使用される。メタデータの手法は、ストリームコンテンツ又はTV放送に特に有利であり、予め記録されたコンテンツの再生でも同様に使用可能である。例えば、次の場面が平均視聴者にある程度のショックを与える影響を有することをメタデータが示し、その人が敏感又は神経質であることをユーザプロフィールが提示する場合には、この次の場面のレンダリングは、それ以降を和らげるように調整される。ユーザがリラックスし過ぎている又は退屈しようとしていることをユーザプロフィールの動的部分が示す場合には、大きい音量で次の場面が強められてもよく、スキップされてもよく、又はユーザの注目を戻すために他の映画トリックが使用されてもよい。例えば、メタデータはコンテンツに含まれ、又はサービスの一部として別々に提供される。その結果、ユーザプロフィールの静的部分及び動的部分は、コンテンツのレンダリングをパーソナル化するために利用され得る。
【課題を解決するための手段】
【０００７】
従って、本発明は、個々のユーザに対してマスマーケットのコンテンツ情報をレンダリングすることを可能にする方法に関する。“マスマーケットのコンテンツ情報”という表現は、多数のエンドユーザに作られたコンテンツのことを示す。その方法は、コンテンツ情報の再生中にレンダリングをパーソナル化する目的でコンテンツ情報を処理する制御を行うために、ユーザのプロフィールを使用可能にすることを有する。プロフィールは、例えば、直接若しくは遠隔検知を通じて得られるユーザについての現在の生物測定データ、又は例えばユーザのカレンダー若しくは明示的な入力から得られるユーザの現在の活動に基づく動的部分を有してもよい。プロフィールはまた、ユーザの履歴、申告された関心又は申告された嗜好のうち少なくとも１つに基づく静的部分を有してもよい。本発明の実施例では、コンテンツの意味的側面又はムードに作用する側面を示すメタデータが設けられる。このメタデータは、処理の制御を行うためにプロフィールに対して合致される。
【０００８】
本発明の実施例は、ユーザに対してマスマーケットのコンテンツ情報をレンダリングする家庭用電化システムに関する。そのシステムは、ユーザプロフィールを格納するメモリと、メモリに結合され、プロフィールの制御でコンテンツの再生中にレンダリングをパーソナル化する目的でコンテンツの処理を制御するコントローラとを有する。そのシステムは、ユーザの現在の生物測定特性を検知するセンサと、センサ及びメモリに結合され、プロフィールのコンテキスト内でセンサからの出力信号を解釈するインタープリタとを有することが好ましい。更なる実施例では、そのシステムは、コンテンツの意味的側面又はムードに作用する側面を示すメタデータを受信するように構成される。コントローラは、処理の制御を行うためにプロフィールに対してメタデータを合致するように動作可能である。
【０００９】
他の実施例は、ユーザに対してマスマーケットのコンテンツ情報をレンダリングする家庭用電化装置の制御を行う制御ソフトウェアに関する。そのソフトウェアは、コンテンツの再生中にレンダリングをパーソナル化する目的でコンテンツ情報の処理の制御を行うために、ユーザのプロフィールを使用するように構成される。
【００１０】
更に他の実施例は、コンテンツ情報のムードに作用する特性を示すメタデータを伴うマスマーケットのコンテンツ情報に関する。メタデータにより、ユーザのプロフィールの制御で、コンテンツ情報の再生中にレンダリングをパーソナル化することが可能になる。コンテンツ情報及びメタデータは、例えば光ディスク又は固体メモリのような情報担体に記録されて供給され、又は通信チャンネル若しくは放送チャンネルを介して提供される。
【発明を実施するための最良の形態】
【００１１】
本発明について、一例として添付図面を参照して更に詳細に説明する。
【００１２】
図面を通じて、同じ参照数字は同一の又は対応する機能を示す。
【００１３】
図１は、本発明の情報処理システム100のブロック図である。システム100は、電子コンテンツのソース102と、ソース102からの電子コンテンツを処理するプロセッサ104と、プロセッサにより処理されたコンテンツをレンダリングするレンダリング装置106とを有する。システム100は、例えば後にレンダリング器106でレンダリングするために、プロセッサ104により供給される電子コンテンツを格納する記憶装置108を更に有する。コンテンツプロセッサ104は、生物測定センサ112と、センサ112からの出力信号を解釈するインタープリタ114と、コントローラ116とを有する制御サブシステム110を介して制御される。生物測定センサ112は、ユーザ118の現在の生物測定特性又は生物測定性質を表す出力信号を提供する。ここでは、ユーザ118はくつろいだ位置で図示されており、システム100の制御用のリモコン122を使うことで楽しむ状態にある。インタープリタ114は、例えば変化する電流若しくは変化する電圧又はRF若しくはIR信号の形式で、センサ112から出力信号を受信し、それを電子ユーザプロフィール120の動的部分のデータ形成部に変換する。プロフィール120は、ユーザ118に特有の情報を更に有し、サブシステム110にローカルのメモリに格納される。インタープリタ114は、このデータをコントローラ116に転送し、それにより後者がプロフィール120の制御でプロセッサ104でのコンテンツの処理を制御することを可能にする。
【００１４】
プロセッサ104により受信されユーザ118の不在中に格納されたコンテンツ（例えば生放送）は、ユーザプロフィール120の静的部分に基づいて予め処理され、すなわち生物測定センサ112からのリアルタイムの入力なしに記憶装置108に格納されてもよい。代替として、記憶装置108は受信と共にコンテンツを記録し、後にコンテンツがユーザ118のいるところでコンテンツがレンダリングされるときに、ソース102として機能する役目を行う。
【００１５】
ソース102は、例えば、テレビ受信機、ラジオ受信機、ビデオ・オン・デマンド用のケーブルボックス、又は第三者サービスにより供給されるコンテンツを受信する他の装置を有する。ソース102はまた、ユーザのホームネットワークでローカルに利用可能なコンテンツを供給するために、レコーダ（例えばHDD又は光ディスクを備えたデジタルビデオレコーダ（DVR））、DVDプレイヤ、PC等を有してもよい。
【００１６】
レンダリング器106は、例えば、表示モニタ、スピーカ、触覚又は嗅覚の感覚を刺激する手段等を有する。
【００１７】
生物測定センサ112は、例えば、ユーザ118の心拍を検知するように、ユーザ118の表情を監視するように、特定のフェロモンを検知するように、ユーザ118の機敏性又は活発性を検知するように、脳波パターンを検知するように、ユーザの皮膚の電気抵抗を検知する等のように動作可能である。これらの特性は、だいたい正確にユーザ118の現在のムード又は状態を決定又は推測するために使用され得る。例えば、インタープリタ114がセンサ112より測定される量の急激な変化（例えば、数秒内での心拍周波数のかなりの増加）でセンサ112から信号を受信すると、ユーザ118が興奮している又は傷つけられるとして信号が解釈され得る。インタープリタ114は、興奮の嗜好に関してユーザプロフィール120に応じてプロセッサ104の処理を制御するように、コントローラ116に命令する。インタープリタ114は、ユーザ118の特定のムードをセンサ112により検知された信号に関連付けるために、ユーザプロフィール120の静的部分を使用してもよい。このため、インタープリタ114は、例えば生理的側面に関する人口統計的研究から利用可能な一般データを使用してもよい。例えば、一般的に人間の心拍の周波数スペクトル及び脳波パターンは、リラックスしたムード及び緊張したムードに関連する範囲に再分割され得る。代替として、又は更に、インタープリタ114は、例えば、ユーザのムード、嗜好又は関心に関するユーザ118からの明示的な入力を用いて、又は推測若しくはトライ＆エラーによる暗示的に、ユーザ118の過去の行動から学習するという意味で適応的である。このように集められて利用可能な知識がユーザプロフィール120を作る。
【００１８】
本発明の実施例では、ソース102により供給されたコンテンツは、平均の視聴者での特定の場面の予想される感情的影響の種類及び強度を示すメタデータを伴う。例えば、メタデータは、特定の場面が“怖い”と評価されることを示す。このシーンのレンダリング中に、インタープリタ114は、場合によってはこのユーザの個々のプロフィール120により変更されて、いくらかこの感情的影響を反映すると予想される信号をセンサ112から受信する。検知された影響が予想される影響に合致しないことを信号が示すと、音量及び／又はスペクトル、色の強さ又は再生速度等のようなコンテンツ特性は、好ましくは同様にプロフィール120の制御で、予想と測定との間のこの相違を変更するように調整され得る。
【００１９】
他の実施例では、センサ112は、ユーザに物理的に連絡せずに、遠隔で動作する。その例については前述した。このようなセンサの利点は、ユーザが何らかの更なる装置を装備する必要がないという点が挙げられる。
【００２０】
更なる実施例では、インタープリタ114及びコントローラ116は、ユーザのホームネットワーク又はCE装置のプログラム可能部分にインストールされたソフトウェアで実装される。例えば、サービスプロバイダ又はコンテンツプロバイダは、電子コンテンツの向上した経験を提供するためにこのソフトウェアを販売してもよく、ダウンロードで利用可能にしてもよい。
【００２１】
図２は、システム100で実行される処理200の動作を示した図である。ステップ202において、コンテンツ情報が供給される。ステップ204において、メタデータが供給される。前述のように、メタデータは、例えば場面毎に区切られて又はコンテンツの展開と共に連続的に変化して、コンテンツ情報のムードに作用する特性を示す。ステップ202及び204は結合されてもよい。例えば、コンテンツ及びメタデータは、DVDに記録されて供給される。代替として、ステップ202及び204は別々である。例えば、コンテンツは生放送チャンネルを介して供給され、メタデータはインターネットサイトから事前にダウンロードされており、又はビデオ放送中の垂直帰線区間等で供給される。ステップ206において、ユーザプロフィールが決定される。ステップ208において、メタデータ及びユーザプロフィールは、制御パラメータの関連値を決定するために使用される。制御パラメータにより、コンテンツの最終的なレンダリングの制御が可能になり、例えば、コンテンツに関係又は没頭する経験を高めることが可能になる。
【００２２】
以下が参照として取り込まれる。ACTIVITY  SCHEDULE  CONTROLS  PERSONALIZED  ELECTRONIC  CONTENT  GUIDEについてEugene  Shteynにより2001年3月8日に出願され、米国特許公開第20020133821として公開された米国出願第09/802,618（代理人管理番号US018028）。この文献は、ユーザの電子カレンダーに予定されたアクティビティとユーザのプロフィール又は申告された関心とに基づいて、電子コンテンツ情報と再生用の時間スロットを決定することに関する。このように、コンテンツの記録及びダウンロードは、ユーザのライフスタイルに基づいて自動化される。
【００２３】
TOPICAL  SERVICE  PROVIDES  CONTEXT  INFORMATION  FOR  A  HOME  NETWORKについてEugene  Shteynにより2000年8月10日に出願され、国際出願WO0213463としてPCTで公開された米国出願第09/635,549（代理人管理番号US000209）。この文献は、時事サーバにユーザインタフェースの直感構成要素を作った家庭用装置に関する。ホームネットワークの装置又はそのプロキシとの特定のユーザインタラクションにより、要求が所定のURLに基づくインターネットの特定のサーバに送信される。ホームネットワークは、装置の使用コンテキストに専用のコンテンツ情報を備えた特定のウェブページをサーバから受信する。
【００２４】
ELECTRONIC  CONTENT  GUIDE  RENDERS  CONTENT  RESOURCES  TRANSPARENTについてEugene  Shteyn及びRudy  Rothにより2000年5月11日に出願され、国際出願WO 0186948としてPCTで公開された米国出願第09/568,932（代理人管理番号US000106）。この文献は、ネットワークの様々なリソースで利用可能なコンテンツ情報を示すデータを集めるホームネットワークのデータ管理システムに関する。データは単一のメニューに結合され、リソースにかかわらず、ユーザがコンテンツから選択することが可能になる。
【００２５】
DIVERSION  AGENT  USES  CINEMATOGRAPHIC  TECHNIQUES  TO  MASK  LATENCYについてMartin  Freeman及びEugene  Shteynの公開による米国特許6,356,288（代理人管理番号PHA23,319）。この文献は、データ処理システムで動作するユーザインタラクティブのソフトウェアアプリケーションの機能部分であるソフトウェアエージェントに関する。ユーザへのデータ配信時に存在する待ち時間をマスクするために、エージェントはユーザ認知可能な効果を生成する。エージェントは、映画技術を使用した効果を生成する。前述の本発明に関して、ネットワーク待ち時間の制御の代わりに生物測定センサとユーザプロフィールとの結合した制御で、レンダリングされるコンテンツの一部をあいまいにするように、又はユーザの注目をそらすように、このようなソフトウェアエージェントが修正され得る。
【００２６】
PERSONALIZING  CE  EQUIPMENT  CONFIGURATION  AT  SERVER  VIA  WEB-ENABLED  DEVICEについてErik  Ekkel他により2000年3月6日に出願され、国際出願WO0154406として公開された米国出願第09/519,546（代理人管理番号US000014）。この文献は、インターネットのアプリケーションサーバに構成を委託することにより、消費者による家庭用電化（CE）装置の構成を促進することに関する。消費者は、インターネット可能装置（PC又はセットトップボックス若しくはデジタル携帯電話等）の適切なユーザインタフェースを通じて特定のインタラクティブウェブページに嗜好を入力する。アプリケーションサーバは、入力された嗜好に基づいて制御データを生成し、CE装置自体又はインターネット可能装置に制御データをダウンロードする。
【００２７】
CONTENT  WITH  BOOKMARKS  OBTAINED  FROM  AN  AUDIENCE’S  APPRECIATIONについてEugene  Shteynにより2000年6月1日に出願され、国際出願WO0193091として公開された米国出願第09/585,825（代理人管理番号US000123）。この文献は、視聴者に大いに関心のありそうな情報コンテンツの要素又は部分を示すブックマークを提供することに関する。放送局は、ブックマークされた位置の情報コンテンツにデータを挿入するために、第三者にこれらのブックマークを販売又はリースで提供することができる。第三者は、視聴者が認めそうな指示された部分に近い情報コンテンツに、好ましくは意味的に関連する広告を挿入することができる。
【００２８】
VIRTUAL  PERSONALIZED  TV  CHANNELについてJan  van  Eeにより2001年3月29日に出願され、国際出願WO02080552として公開された米国出願第09/823,658（代理人管理番号US018032）。この文献は、複数の連結したコンテンツ情報セグメントを自動的に再生可能にすることにより、エンドユーザに対してパーソナル化されたコンテンツ情報チャンネルを作るデータ管理システムに関する。これらのセグメント又は番組は、セグメントのそれぞれの各リソースに無関係の基準に基づいて選択されている。
【図面の簡単な説明】
【００２９】
【図１】本発明のシステムのブロック図である。
【図２】本発明による処理の動作を示す図である。
【図１】
2007504697.tif 000003
【図２】
2007504697.tif 000004
【国際調査報告】
2007504697.tif 000005
2007504697.tif 000006
2007504697.tif 000007